(57)【要約】【課題】股下部において液を効率的に吸収でき、物品長手方向への液の流れを効率的に抑制可能な吸収性物品を提供すること。【解決手段】吸収性物品１は、腹側部１Ａと背側部１Ｃと腹側部１Ａ及び背側部１Ｃの間に位置する股下部１Ｂとを備え、凹凸構造を有する表面シート２を備えている。表面シート２は、股下部１Ｂに分散配置された複数の第１凸部７１と、腹側部１Ａ及び背側部１Ｃに分散配置されており且つ第１凸部７１の形状と異なる複数の第２凸部７２とを有する。第１凸部７１の頂点の位置における吸収性物品１の厚みが、第２凸部７２の頂点の位置における吸収性物品１の厚みよりも大きい。表面シート２を平面視して、各第１凸部７１の面積が各第２凸部７２の面積よりも小さい。第２凸部７２は、その幅方向Ｙの長さが、その長手方向Ｘの長さよりも長い。【選択図】図２
2020103447.tif 000002
【特許請求の範囲】
【請求項１】
着用者の腹側から背側に延びる長手方向と、該長手方向に直交する幅方向とを有し、着用者の腹側に配される腹側部と、背側に配される背側部と、該腹側部及び該背側部の間に位置する股下部とを備え、該腹側部から該背側部に亘って配置され且つ凹凸構造を有する表面シートを備えた吸収性物品であって、
前記表面シートは、前記股下部に分散配置された複数の第１凸部と、前記腹側部及び前記背側部それぞれに分散配置されており且つ該第１凸部の形状と異なる複数の第２凸部とを有し、
前記第１凸部の頂点の位置における前記吸収性物品の厚みが、前記第２凸部の頂点の位置における前記吸収性物品の厚みよりも大きく、
前記表面シートを平面視して、前記第１凸部のそれぞれの面積が前記第２凸部のそれぞれの面積よりも小さく、
前記第２凸部は、その前記幅方向の長さが、その前記長手方向の長さよりも長い、吸収性物品。
【請求項２】
前記表面シートの非肌対向面側に配置された液保持性の吸収体を備え、
前記吸収体を前記長手方向に仮想的に５等分し、前記腹側部側から前記背側部に向けて順に第１領域〜第５領域と定義したときに、前記第１凸部が第３領域に少なくとも存在している、請求項１に記載の吸収性物品。
【請求項３】
前記第２凸部の頂点の位置における前記吸収性物品の厚みに対する、前記第１凸部の頂点の位置における該吸収性物品の厚みの比が、１．３以上である、請求項１又は２に記載の吸収性物品。
【請求項４】
前記第２凸部は、前記幅方向の長さに対する前記長手方向の長さの比が、０．５以下である、請求項１〜３の何れか１項に記載の吸収性物品。
【請求項５】
前記第２凸部は、前記腹側部及び前記背側部それぞれにおいて、千鳥格子状に配置されている、請求項１〜４の何れか１項に記載の吸収性物品。
【請求項６】
前記第１凸部は、前記股下部の前記幅方向の中央部に配置されており、
前記表面シートは、前記股下部における前記中央部よりも前記幅方向外方の両側部に、前記第１凸部の形状と異なる第３凸部を有し、
前記第３凸部は、前記両側部それぞれにおいて、千鳥格子状に配置されている、請求項１〜５の何れか１項に記載の吸収性物品。
【請求項７】
前記表面シートを平面視して、前記第１凸部のそれぞれの面積が前記第３凸部のそれぞれの面積よりも小さく、前記第３凸部のそれぞれの面積が前記第２凸部のそれぞれの面積よりも小さい、請求項６に記載の吸収性物品。
【請求項８】
前記表面シートは、重なり合う第１シート及び第２シートが複数の接合部において互いに接合された積層シートであり、
前記第１凸部、前記第２凸部及び前記第３凸部は、それぞれ、前記接合部以外の部位において第１シートが第２シートから離れる方向に突出して形成されており、
前記股下部の両側部それぞれに存在する前記接合部内に、前記表面シートを貫通する開孔が形成されている、請求項６又は７に記載の吸収性物品。
【請求項９】
前記表面シートの非肌対向面側に配置された液保持性の吸収体を備えるとともに該表面シートの非肌対向面側に配置された前記長手方向に伸縮可能な伸縮シートを備え、
前記吸収体を前記長手方向に仮想的に５等分し、前記腹側部側から前記背側部に向けて順に第１領域〜第５領域と定義したときに、前記伸縮シートが第３領域に配置されている、請求項１〜８の何れか１項に記載の吸収性物品。
【発明の詳細な説明】
【技術分野】
【０００１】
本発明は吸収性物品に関する。
【背景技術】
【０００２】
従来、軟便等の排泄物の拡散を制御したり、着用者の肌との接触面積を低減して風合いを向上させたりすることを目的として、使い捨ておむつ等の吸収性物品の表面シートを凹凸構造とする技術が知られている。例えば特許文献１には、表面シートを物品幅方向の中央と両側部との３領域に区分したときに、中央の領域に第１の房が分散して配置されており、各側部の領域に第１の房の高さ又は密度とは異なる第２の房が分散して配置されている吸収性物品が記載されている。
【０００３】
凹凸構造の表面シートを用いる技術として、本出願人は先に、表面シートにおける物品長手方向の中央部に、物品長手方向に長い形状の第１凸部が分散して配置されており、該中央部の物品長手方向の前後に位置する両端部に、物品幅方向に長く且つ第１凸部と同じ高さの第２凸部が分散して配置されている吸収性物品を提案した（特許文献２参照）。また本出願人は先に、表面シートにおける物品長手方向に延びる物品幅方向の中央部に、第１凸部が分散して配置されており、該中央部の物品幅方向の両側に隣接する両側部に、第１凸部よりも高さ高い第２凸部が分散して配置されている吸収性物品を提案した（特許文献３参照）。
【先行技術文献】
【特許文献】
【０００４】
【特許文献１】特表２０１１−５３０３４２号公報
【特許文献２】特開２００９−１３６３４９号公報
【特許文献３】特開２００９−１４８４４５号公報
【発明の概要】
【発明が解決しようとする課題】
【０００５】
特許文献１に記載の技術は、表面シートの中央の領域に分散配置された第１の房と、表面シートの両側部の領域に分散配置された第２の房とによって、物品幅方向に流れる液を効率的に抑制するものである。しかし、この技術では、着用者の股下に対応する股下部において液を効率的に吸収し、物品長手方向への液の流れを効率的に抑制することができない。特許文献２及び３に記載の技術では、着用者の股下に対応する股下部において液を効率的に吸収し、物品長手方向への液の流れを効率的に抑制することについて検討されていない。
【０００６】
したがって本発明の課題は、股下部において液を効率的に吸収し、物品長手方向への液の流れを効率的に抑制できる吸収性物品を提供することにある。
【課題を解決するための手段】
【０００７】
本発明は、着用者の腹側から背側に延びる長手方向と、該長手方向に直交する幅方向とを有し、着用者の腹側に配される腹側部と、背側に配される背側部と、該腹側部及び該背側部の間に位置する股下部とを備え、該腹側部から該背側部に亘って配置され且つ凹凸構造を有する表面シートを備えた吸収性物品であって、
前記表面シートは、前記股下部に分散配置された複数の第１凸部と、前記腹側部及び前記背側部それぞれに分散配置されており且つ該第１凸部の形状と異なる複数の第２凸部とを有し、
前記第１凸部の頂点の位置における前記吸収性物品の厚みが、前記第２凸部の頂点の位置における前記吸収性物品の厚みよりも大きく、
前記表面シートを平面視して、前記第１凸部のそれぞれの面積が前記第２凸部のそれぞれの面積よりも小さく、
前記第２凸部は、その前記幅方向の長さが、その前記長手方向の長さよりも長い、吸収性物品を提供するものである。
【発明の効果】
【０００８】
本発明によれば、股下部において液を効率的に吸収でき、物品長手方向への液の流れを効率的に抑制可能な吸収性物品が提供される。
【図面の簡単な説明】
【０００９】
【図１】図１は、本発明の吸収性物品の好ましい一実施形態である展開型の使い捨ておむつを模式的に示す平面図である。
【図２】図２は、図１に示す使い捨ておむつに用いられる表面シートの一実施形態を示す平面図である。
【図３】図３は、図２におけるＩＩＩ−ＩＩＩ線断面図である。
【図４】図４は、本発明の吸収性物品に用いられる表面シート及び吸収性コアの別の実施形態を示す平面図である。
【図５】図５は、本発明の吸収性物品に用いられる表面シート及び吸収性コアの更に別の実施形態を示す平面図である。
【発明を実施するための形態】
【００１０】
以下本発明を、その好ましい実施形態に基づき図面を参照しながら説明する。図１には、本発明の吸収性物品の一実施形態である展開型の使い捨ておむつ１の概略構成が示されている。おむつ１は、着用時に着用者の腹側に配される腹側部１Ａと、背側に配される背側部１Ｃと、それらの間に位置する股下部１Ｂとを有する。おむつ１は、着用者の腹側から背側に延びる前後方向に対応する方向、すなわち腹側部１Ａから股下部１Ｂを介して背側部１Ｃに延びる長手方向Ｘと、これに直交する幅方向Ｙとを有している。股下部１Ｂは、おむつ１の着用時に着用者の排泄部に対向配置される排泄部対向部を有しており、該排泄部対向部は通常、おむつ１の長手方向Ｘの中央部又はその近傍に位置している。股下部１Ｂは長手方向Ｘに沿う両側縁が幅方向Ｙの内方に括れている領域内に配されている。腹側部１Ａは着用者の腹側に配され且つ股下部１Ｂよりも長手方向Ｘ外方に位置する部分である。背側部１Ｃは着用者の背側に配され且つ股下部１Ｂよりも長手方向Ｘ外方に位置する部分である。
【００１１】
おむつ１は、図１に示すように、着用者の肌に対向する肌対向面側に位置する表面シート２と、非肌対向面側に位置する裏面シート３と、両シート間に介在配置された吸収体４とを備える。肌対向面とは、吸収性物品の着用時に着用者の肌側に向けられる面、即ち相対的に着用者の肌に近い側であり、非肌対向面は、吸収性物品の着用時に肌側とは反対側に向けられる面、即ち相対的に着用者の肌から遠い側である。
【００１２】
おむつ１は、上述のとおり、展開型の使い捨ておむつであり、図１に示すように、背側部１Ｃの左右両側縁に一対のファスニングテープ１１，１１を有しており、腹側部１Ａの非肌対向面に、ファスニングテープ１１，１１が止着するランディングテープ１２を有している。ファスニングテープ１１及びランディングテープ１２としては、通常、使い捨ておむつ等の吸収性物品に用いられるものであれば、特に制限なく用いることができる。
【００１３】
表面シート２は、肌対向面に複数の凸部を有するものである。その詳細については後述する。裏面シート３としては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。おむつ１の肌触り等を一層良好にする目的で、裏面シートの外面に不織布等の風合いの良好なシートを積層してもよい。
【００１４】
吸収体４は、吸収性コアを備えている。吸収性コアは例えばパルプを初めとするセルロース等の親水性繊維の積繊体、該親水性繊維と吸収性ポリマーとの混合積繊体、吸収性ポリマーの堆積体、２枚の吸収性シート間に吸収性ポリマーが担持された積層構造体などから構成される。吸収性コアは、少なくともその肌対向面が液透過性のコアラップシートで覆われていてもよく、肌対向面及び非肌対向面を含む表面の全域がコアラップシートで覆われていてもよい。コアラップシートとしては、例えば親水性繊維からなる薄葉紙や、液透過性を有する不織布などを用いることができる。
【００１５】
おむつ１には、肌対向面側の長手方向Ｘに沿う両側部に、長手方向Ｘに沿って延びる防漏カフ５が配されている。防漏カフ５は一般に、基端部と自由端とを備えている。防漏カフ５は、表面シート２の肌対向面側に固定された基端部を有し、表面シート２の肌対向面側から起立している。防漏カフ５は、液抵抗性ないし撥水性で且つ通気性の素材から構成されている。防漏カフ５の自由端又はその近傍には、糸ゴム等からなる弾性部材を伸長状態で配してもよい。おむつ１の着用状態においてこの弾性部材が収縮することによって、防漏カフ５が着用者の身体に向けて起立するようになり、表面シート２上に排泄された液が、表面シート２上を伝いおむつ１の幅方向外方へ漏れ出すことが効果的に阻止される。
【００１６】
図２及び図３には、おむつ１に用いられる表面シート及び吸収体の一例が示されている。図３には、吸収体４が備える吸収性コア４１と、吸収性コア４１の肌対向面側に位置する凹凸構造を有する表面シート２とが示されている。吸収性コア４１は、長手方向Ｘに長い矩形状のものや長手方向Ｘに沿う両側部が幅方向Ｙ内方に括れているものであり、同図に示す実施形態では、股下部１Ｂに位置する長手方向Ｘの中央部が幅方向Ｙ内方に括れた砂時計状で且つ長手方向Ｘに長い縦長の形状のものとなっている。
【００１７】
表面シート２は、図２に示すとおり、中央域２Ｃ及び該中央域２Ｃの両側に位置する一対の側部域２Ｓ，２Ｓから構成されている。中央域２Ｃは、幅方向Ｙの中央部に位置し、且つ長手方向Ｘに沿って延びている。一対の側部域２Ｓ，２Ｓは、中央域２Ｃに隣接し、且つ長手方向Ｘに沿って延びている。側部域２Ｓは、防漏カフ５を形成するサイドシートと重なる位置と略一致している。
【００１８】
表面シート２は、図３に示すとおり、着用者の肌に近い側に位置する第１シート２１と、着用者の肌から遠い側に位置する第２シート２２とを有している。表面シート２は、互いに重なり合う第１シート２１及び第２シート２２が複数の接合部６において接合した積層構造となっている。第１シート２１は、接合部６以外の部位において第２シート２２から離れる方向に突出する凸部７を多数形成している。その結果、表面シート２の肌対向面を形成する第１シート２１には凹凸構造が形成されている。一方、表面シート２における非肌対向面は略平坦である。
【００１９】
図３に示すとおり、凸部７は、第１シート２１における複数の接合部６どうしの間に位置する部分が、着用者の肌側に向かって凸状に隆起して形成されている。凸部７の内部には表面シート２の形成材料が充填されておらず空間が形成されている。即ち凸部７は中空のものである。隣り合う凸部７間に位置する接合部６は、凹凸構造を有する表面シート２の凹部の底部を形成している。接合部６は一般に、重ね合わされた状態の第１シート２１及び第２シート２２を、熱を伴うか又は伴わないエンボス加工をすることによって形成されるか、又は超音波エンボス加工をすることによって形成される。
【００２０】
接合部６は、図２に示すとおり、長手方向Ｘ及び幅方向Ｙに分散して配置されている。接合部６は、平面視での形状及び面積が同じ一種のみからなっていてもよく、或いは平面視での形状及び面積の少なくとも一方が異なる複数種からなっていてもよい。図２に示す実施形態では、接合部６は、矩形状の第１接合部６１と、第１接合部６１よりも面積の大きな矩形状の第２接合部６２とを有している。第１接合部６１は中央域２Ｃに配置されている。第１接合部６１は、おむつ１を長手方向Ｘに二分する幅方向Ｙに延びる横中心線Ｌ１よりも前方の股下部１Ｂ及び腹側部１Ａの領域にわたって、長手方向Ｘ及び幅方向Ｙに規則的に間隔を空けて配されている。その結果、第１接合部６１は散点状に分散して配されている。横中心線Ｌ１よりも後方の股下部１Ｂ及び背側部１Ｃの領域においても同様に、第１接合部６１が散点状に分散して配されている。第２接合部６２内に後述する開孔８が形成されているときのように、接合部内に開孔が形成されている場合の接合部の面積とは、該開孔の面積も該接合部の面積に含めるものとする。
【００２１】
図２に示すとおり、第２接合部６２は、中央域２Ｃにおいては、横中心線Ｌ１上に配され、且つ幅方向Ｙに規則的に間隔を空けて配されている。また第２接合部６２は、各側部域２Ｓにおいて、長手方向Ｘ及び幅方向Ｙに規則的に間隔を空けて配されており、その結果、散点状に分散して配されている。
【００２２】
表面シート２に形成されている凸部７は、図２に示すとおり、形状が異なる複数種からなる。「形状が異なる」とは、凸部の高さ、凸部の平面視での面積、及び凸部の平面視での形状のうちの何れか一つが異なることを意味する。図２に示す実施形態では、凸部７は、第１凸部７１と、第１凸部７１の形状と異なる第２凸部７２とを有し、それに加えて、第１凸部７１の形状と異なる第３凸部７３とを有している。第１凸部７１と第２凸部７２とは高さ、平面視での面積及び平面視での形状が異なっている。詳細には、第１凸部７１は、図３に示すとおり、第２凸部７２よりも高さの高いものである。また第１凸部７１の平面視での面積が、図２に示すとおり、第２凸部７２の平面視での面積よりも小さくなっている。
【００２３】
図２に示すとおり、第１凸部７１と第３凸部７３とは平面視での面積及び形状が異なっている。詳細には、第３凸部７３の平面視での面積が、第１凸部７１の平面視での面積よりも大きくなっており、第２凸部７２の平面視での面積よりも小さくなっている。第３凸部７３の平面視での面積が、第１凸部７１の平面視での面積よりも大きくなっており、第２凸部７２の平面視での面積よりも小さくなっている。
【００２４】
第１凸部７１は、股下部１Ｂにのみ分散配置されており、図２に示す実施形態では、股下部１Ｂの中央域２Ｃの肌対向面において、長手方向Ｘ及び幅方向Ｙに規則的に間隔を空けて配されており、その結果、第１凸部７１が散点状に分散して配されている。詳細には、第１凸部７１は幅方向Ｙに長い楕円形状となっている。複数の第１凸部７１が一定の間隔で幅方向Ｙに沿って直列した複数の幅方向凸部列Ｒ１を有するように、第１凸部７１が規則的に配置されている。長手方向Ｘにおいて隣り合う幅方向凸部列Ｒ１、Ｒ１どうしは、第１凸部７１の配置位置が、幅方向Ｙに半ピッチ分ずれている。即ち股下部１Ｂの中央域２Ｃには第１凸部７１が千鳥格子状に分散配置されている。同図に示すとおり、１つの第１凸部７１に着目したとき、該第１凸部７１の周囲に配された第１接合部６１又は第２接合部６２の数は、好ましくは４個以上、より好ましくは６個以上であり、また好ましくは１２個以下、より好ましくは１０個以下である。
【００２５】
第２凸部７２は、腹側部１Ａ及び背側部１Ｃにのみそれぞれ分散配置されており、図２に示す実施形態では、腹側部１Ａ及び背側部１Ｃそれぞれの中央域２Ｃの肌対向面において、長手方向Ｘ及び幅方向Ｙに規則的に間隔を空けて配されており、その結果、第２凸部７２が散点状に分散して配されている。即ち腹側部１Ａの中央域２Ｃ及び背側部１Ｃの中央域２Ｃそれぞれには第２凸部７２が千鳥格子状に分散配置されている。第２凸部７２は、その幅方向Ｙの長さが、その長手方向Ｘの長さよりも長く形成されており、幅方向Ｙに延びた形状となっている。第２凸部７２は第３凸部７３の平面視での面積よりも大きい２種の凸部を有している。２種の凸部の内、１種は幅方向Ｙに長い矩形状の第４凸部７４であり、残りの１種は幅方向Ｙに長い楕円形状の第５凸部７５である。複数の第４凸部７４が一定の間隔で長手方向Ｘに沿って直列した複数の長手方向凸部列Ｒ４を有するように、第４凸部７４が規則的に配置されている。一方、複数の第５凸部７５が一定の間隔で長手方向Ｘに沿って直列した複数の長手方向凸部列Ｒ５を有するように、第５凸部７５が規則的に配置されている。各長手方向凸部列Ｒ５は、幅方向Ｙにおいて隣り合う長手方向凸部列Ｒ４，Ｒ４どうしの間に配置されている。幅方向Ｙにおいて隣り合う長手方向凸部列Ｒ４と長手方向凸部列Ｒ５とは、第４凸部７４の配置位置と第５凸部７５の配置位置とが、長手方向Ｘに半ピッチ分ずれている。長手方向凸部列Ｒ４を構成する１つの第４凸部７４と、該第４凸部７４に隣り合う長手方向凸部列Ｒ５を構成する第５凸部７５とは、幅方向Ｙの側部どうしが、長手方向Ｘにおいて互いに重なるように配置されている。同図に示すとおり、１つの第４凸部７４に着目したとき、該第４凸部７４の周囲に配された第１接合部６１の数が、好ましくは６個以上、より好ましくは８以上であり、また好ましくは１５個以下、より好ましくは１２個以下である。また１つの第５凸部７５に着目したとき、該第５凸部７５の周囲に配された第１接合部６１の数が、好ましくは４個以上、より好ましくは６個以上であり、また好ましくは１５個以下、より好ましくは１２個以下である。
【００２６】
上述した実施形態の使い捨ておむつ１は、図３に示すように、股下部１Ｂに分散配置された第１凸部７１を有しており、第１凸部７１の高さが、腹側部１Ａ及び背側部１Ｃに分散配置されている第２凸部７２が備える第４凸部７４及び第５凸部７５それぞれよりも高いものである。吸収体４のある部分での第１凸部７１の頂部が第２凸部７２の頂部よりも高くなっている。その為、使い捨ておむつ１によれば、股下部１Ｂの第１凸部７１が着用者の肌に当接し易く、股下部１Ｂにおいて、隣り合う第１凸部７１，７１どうしの間の凹部に排泄物を溜め易く、排泄物の流れを抑制することができる。その結果、股下部１Ｂにおいて排泄物の液を効率的に吸収体４に吸収させることができる。さらに、腹側部１Ａ及び背側部１Ｃの第２凸部７２が備える第４凸部７４及び第５凸部７５それぞれは、幅方向Ｙに延びた形状となっており、第４凸部７４及び第５凸部７５それぞれの平面視での面積が第１凸部７１の平面視での面積よりも大きい。その為、使い捨ておむつ１によれば、股下部１Ｂから腹側部１Ａ又は背側部１Ｃへの液の長手方向Ｘへの流れを効率的に抑制できるとともに、腹側部１Ａ内又は背側部１Ｃ内での液の長手方向Ｘへの流れを効率的に抑制できる。特に、図２に示す実施形態では、腹側部１Ａ及び背側部１Ｃにおいて第２凸部７２が千鳥格子状に分散配置されているので、腹側部１Ａ内又は背側部１Ｃ内での液の長手方向Ｘへの流れを一層効率的に抑制できる。
【００２７】
股下部１Ｂにおいて液を効率的に吸収する観点から、吸収体４の吸収性コア４１を長手方向Ｘに仮想的に５等分し、腹側部１Ａ側から背側部１Ｃに向けて順に第１領域Ｔ１〜第５領域Ｔ５と定義したときに、第１凸部７１が、第３領域Ｔ３に少なくとも存在していることが好ましく、第２領域Ｔ２、第３領域Ｔ３及び第４領域Ｔ４にわたって存在していてもよい。特に、図２に示す実施形態では、第１凸部７１が第３領域Ｔ３にのみ存在しており、第３領域Ｔ３に対応する領域において、第１凸部７１が千鳥格子状に分散配置されているので、第１凸部７１に隣り合う凹部に排泄物を一層溜め易くなっており、股下部１Ｂにおいて排泄物の液を一層効率的に吸収することができる。
【００２８】
股下部１Ｂにおいて液を効率的に吸収するとともに、液の長手方向Ｘへの流れを効率的に抑制する観点から、第２凸部７２の頂点の位置におけるおむつ１の厚みＤ２（図３参照）に対する、第１凸部７１の頂点の位置におけるおむつ１の厚みＤ１（図３参照）の比Ｄ１／Ｄ２が、好ましくは１．３以上、更に好ましくは１．５以上であり、また好ましくは３以下、更に好ましくは２．５以下である。おむつ１の厚みＤ１は、好ましくは５０ｍｍ以上、更に好ましくは５５ｍｍ以上であり、また好ましくは７５ｍｍ以下、更に好ましくは７０ｍｍ以下である。おむつ１の厚みＤ２は、好ましくは４０ｍｍ以上、更に好ましくは４５ｍｍ以上であり、また好ましくは６５ｍｍ以下、更に好ましくは６０ｍｍ以下である。前記のおむつ１の厚みＤ１，Ｄ２とは、吸収体４が配置されている領域において測定された値を意味する。第１凸部７１の高さは、好ましくは１．０ｍｍ以上、更に好ましくは１．２ｍｍ以上であり、また好ましくは５ｍｍ以下、更に好ましくは３ｍｍ以下である。第２凸部７２の高さは、好ましくは０．７ｍｍ以上、更に好ましくは１ｍｍ以上であり、また好ましくは２ｍｍ以下、更に好ましくは１．５ｍｍ以下である。おむつ１のように、第２凸部７２が、第４凸部７４及び第５凸部７５のように複数の凸部を有しているときには、複数の凸部のうちで最も高さの低い凸部の高さを第２凸部７２の高さとする。
【００２９】
股下部１Ｂから腹側部１Ａ又は背側部１Ｃへの液の長手方向Ｘへの流れを効率的に抑制する観点から、各第２凸部７２の平面視での面積に対する各第１凸部７１の平面視での面積の比が、好ましくは０．３以上、更に好ましくは０．５以上であり、また好ましくは０．８以下、更に好ましくは０．７以下である。各第１凸部７１の平面視での面積は、好ましくは２ｍｍ２以上、更に好ましくは３ｍｍ２以上であり、また好ましくは２０ｍｍ２以下、更に好ましくは１５ｍｍ２以下である。各第２凸部７２の平面視での面積は、好ましくは２．５ｍｍ２以上、更に好ましくは３．５ｍｍ２以上であり、また好ましくは３０ｍｍ２以下、更に好ましくは２５ｍｍ２以下である。第２凸部７２が、第４凸部７４及び第５凸部７５のように複数の凸部を有しているときには、複数の凸部のうちで最も面積の小さい凸部の面積を第２凸部７２の面積とする。各第１凸部７１又は各第２凸部７２の平面視での面積は、以下のようにして測定される。
【００３０】
＜各第１凸部７１又は各第２凸部７２の平面視での面積の測定法＞
表面シート２から第１凸部７１を有する大きさのカットサンプルを切り出す。カットサンプルは５０ｍｍ（幅方向Ｙ）×５０ｍｍ（長手方向Ｘ）の大きさとする。無加圧の状態で、該カットサンプルを水平な台上に置き、該カットサンプルの上部から重さ５０ｇの透明なアクリル板を置き、更にアクリル板上に７０ｇの錘を設置する。そして、３０ｇｆ／ｃｍ2の荷重を掛けた状態で、カットサンプルの表面形状をＫｅｙｅｎｃｅ社製、高精度形状計測システムＫＳ−１１００を用い測定し、画像を取り込む。測定条件を、測定ピッチ５０μｍ、移動速度１０ｃｍ／ｓとし、４０ｍｍ（幅方向Ｙ）×４０ｍｍ（長手方向Ｘ）の範囲を測定する。次に、取り込んだ画像をＫｅｙｅｎｃｅ社製、形状解析アプリケーションＫＳ−Ａｎａｌｙｚｅｒを用い解析し、１つの第１凸部７１の最も厚みのあった位置から５００μｍ小さい厚みの位置まで、厚み方向に変化した部分を抽出し、二値化処理することにより、アクリル板と接触する第１凸部７１の部分の画像を得る。この画像を（株）日本ローパー社製、Ｉｍａｇｅ−Ｐｒｏ  Ｐｌｕｓに取り込み、コントラストの強調で、白黒コントラストを１００に設定する。フィルター処理（メディアン、５×５を５回）によりノイズを除去した後、カウント処理を行い、白黒それぞれの面積を測定する。その後、アクリル板と接触する第１凸部７１の部分の総面積である黒の総面積を、白黒それぞれの面積の和である測定範囲の面積（４０ｍｍ（幅方向Ｙ）×４０ｍｍ（長手方向Ｘ））で除すことで、各第１凸部７１の平面視での面積を算出する。各第２凸部７２の平面視での面積も同様にして算出する。
【００３１】
腹側部１Ａ内又は背側部１Ｃ内での液の長手方向Ｘへの流れを効率的に抑制する観点から、第２凸部７２は、幅方向Ｙの長さに対する長手方向Ｘの長さの比が、好ましくは０．５以下、更に好ましくは０．４以下であり、また好ましくは０．１以上、更に好ましくは０．１５以上である。第２凸部７２の有する矩形状の第４凸部７４及び楕円形状の第５凸部７５の何れもが、前記の比を満たすことが好ましい。
【００３２】
第３凸部７３は、一対の両側部域２Ｓ，２Ｓにそれぞれ分散配置されており、図２に示す実施形態では、各側部域２Ｓの肌対向面において、長手方向Ｘ及び幅方向Ｙに規則的に間隔を空けて配されており、その結果、第３凸部７３が散点状に分散して配されている。詳細には、第３凸部７３は平面視して円形状となっている。各第３凸部７３は、一定の間隔で長手方向Ｘに沿って直列した複数の長手方向凸部列Ｒ３を有するように規則的に配置されている。幅方向Ｙにおいて隣り合う長手方向凸部列Ｒ３、Ｒ３どうしは、第３凸部７３の配置位置が、長手方向Ｘに半ピッチ分ずれている。即ち各側部域２Ｓには第３凸部７３が千鳥格子状に分散配置されている。同図に示すとおり、１つの第３凸部７３に着目したとき、該第３凸部７３の周囲に配された第２接合部６２の数は、好ましくは３個以上、より好ましくは４個以上であり、また好ましくは１０個以下、より好ましくは８個以下である。
【００３３】
本実施形態においては、股下部１Ｂの中央域２Ｃよりも幅方向Ｙ外方の両側部域２Ｓ，２Ｓに、第１凸部７１の形状と異なる第３凸部７３が、千鳥格子状に分散配置されているので、股下部１Ｂの中央域２Ｃで堰き止めることのできなかった排泄物を、両側部域２Ｓ，２Ｓの第３凸部７３の凹凸によって堰き止めることができる。その結果、排泄物の横漏れを効果的に防止することができる。本実施形態では、特に各第３凸部７３の平面視での面積が、各第１凸部７１の平面視での面積よりも大きくなっている。その為、本実施形態によれば、股下部１Ｂの中央域２Ｃから両側部域２Ｓ，２Ｓへの液の長手方向Ｘへの流れを一層効率的に抑制できる。
【００３４】
股下部１Ｂの中央域２Ｃから両側部域２Ｓ，２Ｓへの液の長手方向Ｘへの流れを一層効率的に抑制する観点から、各第３凸部７３の平面視での面積に対する各第１凸部７１の平面視での面積の比は、好ましくは０．５以上、更に好ましくは０．７以上であり、また好ましくは０．９以下、更に好ましくは０．８以下である。各第３凸部７３の平面視での面積は、好ましくは２．３ｍｍ２以上、更に好ましくは３．３ｍｍ２以上であり、また好ましくは２５ｍｍ２以下、更に好ましくは２０ｍｍ２以下である。各第３凸部７３の平面視での面積は、上述した各第１凸部７１の平面視での面積の測定方法と同様にして測定される。
【００３５】
排泄物の横漏れを防止する観点から、図２に示すように、各側部域２Ｓの第３凸部７３の周りに存在する第２接合部６２内に、表面シート２を貫通する開孔８が形成されていることが好ましい。開孔８は表面シート２を構成する第１シート２１及び第２シート２２を貫通している。第２接合部６２に開孔８が形成されている場合、第２接合部６２においては開孔８の外周縁部で第１シート２１と第２シート２２とが接合されている。また股下部１Ｂにおいて排泄物の液を効率的に吸収する観点から、中央域２Ｃに配され且つ横中心線Ｌ１上に配された第２接合部６２内にも開孔８が形成されていることが好ましい。
【００３６】
次に、本発明の他の実施形態を、図４及び図５を参照して説明する。図４及び図５に示す実施形態については、上述した実施形態と異なる構成部分を主として説明し、同様の構成部分は同一の符号を付して説明を省略する。特に説明しない構成部分は、上述した実施形態についての説明が適宜適用される。
【００３７】
図４に示す実施形態においては、腹側部１Ａ及び背側部１Ｃにそれぞれ分散配置された第２凸部７２が、幅方向Ｙに長い楕円形状の第５凸部７５のみを有している。腹側部１Ａ及び背側部１Ｃにおいては、複数の第５凸部７５が一定の間隔で長手方向Ｘに沿って直列した複数の長手方向凸部列Ｒ５を有するように、第５凸部７５が規則的に配置されている。幅方向Ｙにおいて隣り合う長手方向凸部列Ｒ５、Ｒ５どうしは、第５凸部７５の配置位置が、長手方向Ｘに半ピッチ分ずれている。即ち腹側部１Ａ及び背側部１Ｃにそれぞれの中央域２Ｃには第５凸部７５が千鳥格子状に分散配置されている。長手方向凸部列Ｒ５を構成する１つの第５凸部７５と、該第５凸部７５に隣り合う別の長手方向凸部列Ｒ５を構成する第５凸部７５とは、長手方向Ｘにおいて互いに一部が重なるように配置されている。
【００３８】
図４に示す実施形態において、おむつ１は表面シート２の非肌対向面側に伸縮シート９を備えている。伸縮シート９は、少なくとも長手方向Ｘに伸縮可能なものである。伸縮シート９は、吸収体４の吸収性コア４１を長手方向Ｘに仮想的に５等分し、腹側部１Ａ側から背側部１Ｃに向けて順に第１領域Ｔ１〜第５領域Ｔ５と定義したときに、第３領域Ｔ３に少なくとも存在していることが好ましく、第１領域Ｔ１〜第５領域Ｔ５の全域にわたって存在していてもよい。
【００３９】
図５に示す実施形態においては、第１凸部７１は、股下部１Ｂに分散配置されている。各第１凸部７１は、一定の間隔で長手方向Ｘに沿って直列した複数の長手方向凸部列Ｒ６を有するように規則的に配置されている。幅方向Ｙにおいて隣り合う長手方向凸部列Ｒ６、Ｒ６どうしは、第１凸部７１の配置位置が、長手方向Ｘに半ピッチ分ずれている。即ち股下部１Ｂの中央域２Ｃには第１凸部７１が千鳥格子状に分散配置されている。
【００４０】
図５に示す実施形態においては、腹側部１Ａ及び背側部１Ｃにそれぞれ分散配置された第２凸部７２が、幅方向Ｙに長い楕円形状の第５凸部７５のみを有している。腹側部１Ａ及び背側部１Ｃにおいては、各第５凸部７５が、一定の間隔で長手方向Ｘに沿って直列した複数の長手方向凸部列Ｒ５を有するように規則的に配置されている。幅方向Ｙにおいて隣り合う長手方向凸部列Ｒ５、Ｒ５どうしは、第５凸部７５の配置位置が、長手方向Ｘに半ピッチ分ずれている。即ち腹側部１Ａ及び背側部１Ｃにそれぞれの中央域２Ｃには第５凸部７５が千鳥格子状に分散配置されている。長手方向凸部列Ｒ５を構成する１つの第５凸部７５と、該第５凸部７５に隣り合う別の長手方向凸部列Ｒ５を構成する第５凸部７５とは、長手方向Ｘにおいて互いに重ならないように配置されている。
【００４１】
図４及び図５に示す実施形態によっても、図１ないし図３に示す実施形態によって奏される効果と同様の効果を奏することができる。特に図４に示す実施形態においては、長手方向Ｘに伸縮する伸縮シート９が、表面シート２の非肌対向面側に配され、且つ吸収体４の第３領域Ｔ３に対応する位置に配されているので、股下部１Ｂが長手方向Ｘに収縮し易く、そのことに起因して、股下部１Ｂに配置された第１凸部７１，７１どうしの間の凹部に排泄物を溜め易く、排泄物の流れを抑制することができる。その結果、股下部１Ｂにおいて排泄物を一層効率的に吸収できる。排泄物を一層効率的に吸収させる観点から、使い捨ておむつ１の厚み方向における伸縮シート９の配置位置は、吸収体４の非肌対向面側であることが好ましい。具体的な伸縮シート９の配置位置としては、吸収体４と裏面シート３との間が挙げられる。裏面シート３が透湿性フィルムと不織布とから構成される場合には、透湿性フィルムと不織布との間に伸縮シート９を配置することができる。伸縮シート９としては、伸縮性のフィルム、伸縮性の不織布、伸縮性の織物又はそれらの積層シート等が挙げられる。
【００４２】
上述した各実施形態に用いられる凹凸構造を有する表面シート２は、例えば特開２０１５−１１２３４３号公報の図１０に記載の装置を用いて製造することができる。この装置においては、周面が互いに噛み合い形状となっている第１ロールと第２ロールとが、噛み合い状態で配置されている。更にこの装置は、第１ロールの周面に当接するように配置されたアンビルロールを有している。この装置を用い、帯状の第１シート２１を、第１ロールと第２ロールとの間に供給して、第１シート２１を凹凸形状に変形させる。その後、第１シート２１を第１ロールの周面部に沿わせて噛み合い部分から移動させた後、凹凸形状の第１シート２１に帯状の第２シート２２を重ね合わせるように供給して、第１ロールにおける凸部とヒートロールとの間で加熱下に両シートを挟圧する。この挟圧によって、第１シート２１と第２シート２２とが部分的に接合されることにより表面シート２が得られる。凸部７が第１凸部７１、第２凸部７２及び第３凸部７３を有する場合には、凹凸形状に変形させる際に、例えば、第１シート２１の幅方向の中央部と側部とで、第１ロール及び第２ロールの凹凸形状、及び第１ロールとアンビルロールとで形成する接合部のパターンを異ならせることにより形成できる。開孔８を形成するときには、第１ロール又はアンビルロールにカートリッジヒーター等の加熱手段を設け、第１ロールの凸部の先端又はアンビルロール表面を高温に加熱し、高温に加熱された部分で挟圧することによって、第１シート２１と第２シート２２とを接合する接合部とともに開孔８が形成されるようにする。加熱手段を設ける方法に代えて、第１ロールにおける凸部の先端に更に突出するピンを設け、該ピンとアンビルロールとで強く加圧することによって、接合部に開孔８が形成されるようにしてもよい。
【００４３】
また、上述した各実施形態に用いられる凹凸構造を有する表面シート２の別の製造方法として、互いに重なり合う帯状の第１シート及び帯状の第２シートが複数の接合部において互いに接合された積層シートと、長手方向Ｘに伸縮可能な伸縮シート９とを用いる方法が挙げられる。詳細には、長手方向Ｘに伸縮可能な伸縮シート９を収縮力に抗して長手方向Ｘに伸長させ、次いで、伸縮シート９の伸長状態を維持したまま、前記積層シートに直接又は間接的に貼り合わせる。その後、伸縮シート９の伸長状態を解除することによって、伸縮シート９を長手方向Ｘに収縮させる。この収縮によって、第１シート及び第２シートを接合する接合部どうしの間の部分が隆起し、凹凸構造が発現する。このようにして、凹凸構造の表面シート２を製造することができる。
【００４４】
表面シート２を構成する第１シート２１及び第２シート２２としては、例えばエアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。これらのなかでも、エアスルー不織布又はスパンボンド不織布を用いることが好ましい。第１シート２１及び第２シート２２それぞれの坪量は、好ましくは１０ｇ／ｍ２以上、より好ましくは１５ｇ／ｍ２以上であり、また好ましくは４０ｇ／ｍ２以下、より好ましくは３５ｇ／ｍ２以下である。第１シート２１及び第２シート２２を構成する不織布の種類は同じでもよく、あるいは異なっていてもよい。
【００４５】
本発明の吸収性物品は、上述の各実施形態に何ら制限されるものではなく、適宜変更可能である。また、上述の各実施形態における各構成要件は、本発明の趣旨を損なわない範囲で、適宜組み合わせて実施できる。
【００４６】
例えば、前記実施形態においては、表面シート２の中央域２Ｃよりも幅方向Ｙ外方の両側部域２Ｓ，２Ｓに、第１凸部７１の形状と異なる第３凸部７３が配されているが、これに代えて第３凸部７３を配しなくてもよい。即ち、股下部１Ｂの幅方向Ｙの全域に亘り第１凸部７１が分散配置されており、腹側部１Ａ及び背側部１Ｃそれぞれの幅方向Ｙの全域に亘り第２凸部７２が分散配置されていてもよい。
【００４７】
前記実施形態においては、第２接合部６２内に表面シート２を貫通する開孔８が形成されているが、これに代えて開孔８を形成しなくてもよい。
【００４８】
また前記実施形態においては、表面シート２として、凸部７を多数有する第１シート２１と略平坦な第２シート２２との２枚の不織布を用いて凹凸構造を形成したシートを用いたが、これに代えて１枚の不織布のみで凹凸構造を形成したシートを用いてもよい。また、凹凸の形状も前記実施形態に示すものに限られない。
【００４９】
更に前記実施形態は、本発明の吸収性物品を展開型の使い捨ておむつ１に適用したものであるが、これに代えて本発明をパンツ型使い捨ておむつに適用してもよい。また、本発明を使い捨ておむつ以外の他の吸収性物品、例えば生理用ナプキン及び失禁パッド等に適用してもよい。
【符号の説明】
【００５０】
１  吸収性物品（使い捨ておむつ）
１Ａ  腹側部
１Ｂ  股下部
１Ｃ  背側部
２  表面シート
２１  第１シート
２２  第２シート
３  裏面シート
４  吸収体
５  防漏カフ
６  接合部
６１  第１接合部
６２  第２接合部
７  凸部
７１  第１凸部
７２  第２凸部
７３  第３凸部
８  開孔
９  伸縮シート
【図１】
2020103447.tif 000003
【図２】
2020103447.tif 000004
【図３】
2020103447.tif 000005
【図４】
2020103447.tif 000006
【図５】
2020103447.tif 000007